(57)【要約】【課題】簡素な構造で、操作及び保守が簡単であって、多量の粉粒体を均一に散布するのに適した粉粒体散布機を提供する。【解決手段】実質的に逆台錐形のホッパー１の底部に、粉粒体の排出手段９を設ける。この排出手段９は、複数の斜孔９１ａを有する排出板９１と、この斜孔９１ａと同じ配列の斜孔９２ａを有する遮蔽板９２とからなる。本発明では、この遮蔽板９２を左右方向に摺動させ、排出板９１の斜孔９１ａを開閉して粉粒体の排出量を調節する。また本発明では、ホッパー１の下部に掻きだし手段７を設け、ホッパー１内の粉粒体を排出手段９へと繰り出す。さらに必要に応じて、ホッパー１内に揺動するブロッキング防止手段６を設け、粉粒体のブロッキングやブリッジを防止する。【選択図】図３
2010274194.tif 000002
【特許請求の範囲】
【請求項１】
粉粒体の散布機であって、実質的に逆台錐形のホッパーと、ホッパー内の下部に設けられた粉粒体の掻きだし手段と、ホッパー底部に設けられた粉粒体の排出手段を備え、排出手段が進行方向に対して斜めに開口した複数の斜孔を有する排出板と、排出板の斜孔と同一の斜孔を有し、排出板の下部に摺動可能に設けられた遮蔽板とからなり、遮蔽板を左右方向に摺動して斜孔の開口度を規制し、粉粒体の排出量を調節する粉粒体散布機。
【請求項２】
掻きだし手段が散布機の車輪のひとつとクラッチを介して接続された回転軸を備え、掻きだし手段を車輪の回転とは独立して制御可能な請求項１に記載の粉粒体散布機。
【請求項３】
掻きだし手段が、回転軸の少なくとも両端に多角形の枠板を備え、枠体の各頂部に羽根が嵌着されている請求項１又は２に記載の粉粒体散布機。
【請求項４】
排出手段の排出板及び遮蔽板の各斜孔が、一の斜孔の一端側部と隣接する他の斜孔の他端側部とを結ぶ仮想直線上に略位置するように斜めに配設されている請求項１に記載の粉粒体散布機。
【請求項５】
ホッパー内の進行方向の反対側内壁近傍に、さらに揺動する粉粒体のブロッキング防止手段を備え、ブロッキング防止手段が、上下の横杆と、各横杆に吊環を介して遊動的に取り付けられた複数本の縦杆とからなる請求項１に記載の粉粒体散布機。
【発明の詳細な説明】
【技術分野】
【０００１】
本発明は、粉粒体散布機、特に石灰等を多量かつ均一に散布するのに好適な粉粒体散布機に関するものである。
【背景技術】
【０００２】
近年、鳥インフルエンザなどの予防の際、石灰を多量かつ均一に散布する要望が高い。特許文献１は、自重落下方式による粉粒体の散布機であるが、消石灰や、生石灰のごとき石灰を多量に散布する際の飛散を防止するため、散布機の石灰吐出口の進行方向における前後に散水ノズルを設けたものである。特許文献１における粉粒体の吐出口は、ホッパー最下面の左右方向全長にわたって形成されている。吐出口からの粉粒体の吐出量は、吐出口の外側にシャッターを設け、シャッターの上下方向に長孔を設け、長孔にボルトを挿入し、これを吐出口の後板に取り付け、ボルト固定位置を上下にスライドさせることにより行っている。吐出量を変えるには、その都度ボルトを締めたり緩めたりする必要があり、操作性が悪い上、粉粒体の出力調整機構が複雑である。特許文献１には、さらにホッパー内の石灰を掻きだす回転ブラシも設けられているが、この回転ブラシは、車輪とスプロケットを介して直結されて、車輪の回転と常に連動して回転するので無駄が大きい。
【０００３】
特許文献２は、農薬の散布機ではあるが、特許文献１同様に、車輪と連動して回転するシャフトに羽根を設けた攪拌部と、上下２枚のプレートに微粉体の出口を各々設け、下側プレートをスライドさせて、両プレートの出口の重なり具合で出力量を調整している。しかし、下側プレートを作動するアジャスト部の機構は、きわめて複雑で非実用的であり、微量な農薬ならともかく、石灰のような多量な粉粒体を均一に散布するには不向きである。
【先行技術文献】
【特許文献】
【０００４】
【特許文献１】特開２００７−１５２２１２号公報
【特許文献２】特開平１１−２９９４１１号公報
【発明の概要】
【発明が解決しようとする課題】
【０００５】
本発明は、前記のごとき課題を解決したもので、簡素な構造で、操作及び保守が簡単であって、多量の粉粒体を均一に散布するのに適した粉粒体散布機を提供することを目的としている。
【課題を解決するための手段】
【０００６】
前記目的を達成した本発明の粉粒体散布機は、下記の特徴及び好適な態様を有する。
項１：粉粒体の散布機であって、実質的に逆台錐形のホッパーと、ホッパー内の下部に設けられた粉粒体の掻きだし手段と、ホッパー底部に設けられた粉粒体の排出手段を備え、排出手段が進行方向に対して斜めに開口した複数の斜孔を有する排出板と、排出板の斜孔と同一の斜孔を有し、排出板の下部に摺動可能に設けられた遮蔽板とからなり、遮蔽板を左右方向に摺動して斜孔の開口度を規制し、粉粒体の排出量を調節する粉粒体散布機。
項２：掻きだし手段が散布機の車輪のひとつとクラッチを介して接続された回転軸を備え、掻きだし手段を車輪の回転とは独立して制御可能な項１に記載の粉粒体散布機。
項３：掻きだし手段が、回転軸の少なくとも両端に多角形の枠板を備え、枠体の各頂部に羽根が嵌着されている項１又は２に記載の粉粒体散布機。
項４：排出手段の排出板及び遮蔽板の各斜孔が、一の斜孔の一端側部と隣接する他の斜孔の他端側部とを結ぶ仮想直線上に略位置するように斜めに配設されている項１に記載の粉粒体散布機。
項５：ホッパー内の進行方向の反対側内壁近傍に、さらに揺動する粉粒体のブロッキング防止手段を備え、ブロッキング防止手段が、上下の横杆と、各横杆に吊環を介して遊動的に取り付けられた複数本の縦杆とからなる項１に記載の粉粒体散布機。
【発明の効果】
【０００７】
前記のごとき構成に基づく本発明の粉粒体散布機は、以下のごとき効果及び利点を有する。
（１）粉粒体の排出手段の排出板及び遮蔽板に、進行方向に対し斜めに開口した実質的に同一の斜孔を設け、遮蔽板を左右方向に往復摺動することにより、排出板の斜孔の開口度を規制し、散布機の左右方向における粉粒体の排出量を任意に調節するとともに、必要に応じて大量かつ均一に排出することができる。
（２）掻きだし手段の回転羽根により、ホッパー内の粉粒体を排出手段に効率的に供給できる。同時に、この羽根の回転により、粉粒体の二次凝集を粉砕できる。
（３）掻きだし手段の回転軸と散布機のひとつの車輪とをクラッチを介して断続自在に接続し、掻きだし手段の回転を散布機の車輪の回転とは独立制御することにより、必要な時にだけ掻きだし手段を回転でき、散布機の移動のみの際の無用の負荷を軽減できる。
（４）加えて粉粒体のブロッキング防止手段を設けることにより、粉粒体の２次凝集、固化、ブロッキング、ブリッジの形成を有効に阻止することができる。
【図面の簡単な説明】
【０００８】
【図１】本発明の粉粒体散布機の進行方向に向かって右側面図である。
【図２】図１の平面図である。
【図３】図１の進行方向からみた一部切り欠き断面を示す正面図である。
【図４】図１の粉粒体排出手段の斜孔の配置を示す模式図で、（イ）は排出板、（ロ）は遮蔽板である。
【発明を実施するための形態】
【０００９】
次に、図面に従って本発明の実施の態様について詳述する。図１、図２、及び図３は、本発明の粉粒体散布機の構造を例示する。すなわち、ホッパー１は、図１に示すように、解放された上方が広く下方に向かって狭くなる実質的に逆台錐様の形をなし、粉粒体の自重による流下を容易にしている。このホッパー１は、図２及び図３に示すように、左右方向の両側に一対の車輪２を備えている。ホッパー１を押す把手３は、ホッパー１の上部両側に枠杆３１を介して回動自在に取り付けられている。散布機は、また把手３の支柱４と、一端がホッパー１の下部両側に固定された支柱枠４１の交点に、受台５１を介して補助輪５を備えている。本発明では、この支柱４に、図１に示すように、高さ方向にピン挿入孔４ａを複数個設け、ピン（図示せず）により受台５１に枢着している。したがって、枢着する挿入孔４ａの高さの選択と枠杆３１の協働下、作業者の身長に適した把手３の高さを簡単に調節できる。本態様の散布機は、一対の車輪２と補助輪５の３輪により可動的に支持されているが、４輪とすることも可能である。矢印Ａは、散布機の進行方向を示す。
【００１０】
本発明の散布機は、図２及び図３に示すように、ホッパー１の内部に粉粒体のブロッキング防止手段６と掻きだし手段７とを備えている。ブロッキング防止手段６は、必ずしも必要ではないが、散布する粉粒体によっては設けるのが望ましい。このブロッキング防止手段６は、ホッパー１の両側板に横架された上下の横杆６１と、各横杆６１間に吊環６３を介して緩やかに取り付けられた複数本の縦杆６２からなる。本発明では、この取り付け構造に基づき、縦杆６２は吊環６３の許容範囲内で遊動自在に作動し、粉粒体のブロッキングを効率よく阻止する。ブロッキング防止手段６の操作は横杆６１の上段側に連結され、ホッパー１の側板の外に取り付けられているレバー６４を必要に応じて操作すればよい。
【００１１】
粉粒体の掻きだし手段７は、散布機の車輪２のひとつに連結された回転軸７１と複数枚の羽根７２を備えている。羽根７２は、回転軸７１の両端を含め、任意の数の枠板７３を介して取り付けられている。枠板７３は、好適には６角形とし、各頂角に羽根７２を嵌着する。羽根７２は、一定の幅のある板羽根が掻きだし効率がよくて望ましいが、丸棒、角棒であってもよい。また取り付けの容易さ、掻きだし効率の観点から、枠板７３は、４〜６角形程度の多角形が望ましいが、円形であっても差し支えない。本発明では、回転軸７１と車輪２の一つとを直結せず、クラッチ８を介して断続可能に接続している。これにより、散布機の走行中でも、散布を要しないときはクラッチ８を切り、掻きだし手段７をアイドリング状態に保ち、散布機移動の無用な負荷を軽減できる。また散布する粉粒体によっては、クラッチ８を段階的に切り替え、回転軸７１の回転速度を選択することもできる。ペダル８１は、クラッチ８を操作するペダルである。
【００１２】
本発明のもっとも特徴的な粉粒体の排出手段９は、ホッパー１の底に設けられた排出板９１と、排出板９１の下部に左右方向に摺動可能に設けられた遮蔽板９２からなる。この排出板９１は、図４に示すように、多数の粉粒体排出用の斜孔９１ａを備えている。本発明では、この斜孔９１ａは進行方向に対して斜めに開口した長孔からなる。望ましくは、各斜孔９１ａは、一の斜孔の一端Ｘの側部が隣接する他の斜孔の他端Ｙの対面する側部を結ぶ仮想直線Ｚ上において略同位置となるように配置する。遮蔽板９２にも、排出板９１の斜孔９１ａと実質的に同一の斜孔９２ａを配置する。こうすることで、遮蔽板９２の矢印で示す左右方向における任意の長さの往復摺動により、排出板９１の斜孔９１ａの開口度を規制する。すなわち、すべての斜孔９１ａの全閉状態から全開状態へ、全開状態から全閉状態へと連続的あるいは段階的に開口し、粉粒体の排出量を調節できる。しかも、本発明の排出手段９では、排出板９１及び遮蔽板９２の開口が斜孔９１ａ及び９２ａに示すように斜めの長孔で構成されているので、開口度が小さく排出量が少量な場合でも、開口度が大きく排出量が多量な場合でも、散布される粉粒体が筋状になったり、むらが生じたりする恐れはなく、左右方向、進行方向のいずれにおいても、常に均一に散布できる。レバー９３は、ホッパー１の後板外側に取り付けられた遮蔽板９２を矢印方向に往復作動させる操作レバーである。レバー９３は、作業者の前面にあり、散布機を押しながらでも操作できる。むろん本態様とは逆に、遮蔽板９２を固定し、排出板９１を摺動可能にすることもできる。
【００１３】
本発明の散布機は、車輪２及び軸受け（図示せず）部分以外は、すべてステンレススチール、例えばＳＵＳ３０４を使用しており、対化学薬品性、防錆性に優れている。また構成部品点数も少なく、安価で堅牢であり、作業、保守も容易である。
【００１４】
このように構成された本発明の粉粒体散布機は、例えば以下のように操作して、粉粒体を散布する。作業者は、まず車輪のロック状態を確認して、ホッパー１内に例えば石灰を規定量まで入れる。ロック（図示せず）を解除し、把手３を押して石灰散布始点まで進行する。そこで、ペダル８１を操作してクラッチ８を入れ、掻きだし手段７を回転させて、ホッパー１内の粉粒体を排出手段９に繰り出す。排出手段９の排出板９１の斜孔９１ａは、レバー９３の操作により遮蔽板９２を摺道させて、例えば排出板９１の斜孔９１ａと遮蔽板９２の斜孔９２ａを完全に一致させて通孔となすことにより、全開する。多量の粉粒体が形成されたこの通孔から略均一に散布される。この場合、縦長の直孔では筋が生じ、丸孔では多量の排出は困難である。本発明では、また遮蔽板９２の斜孔９２ａと排出板９１の斜孔９１ａの重なり度合いを適宜調整することにより、所望の散布量を簡単に斑なく得ることができる。必要に応じて、ブロッキング防止手段６のレバー６４を操作して揺動させることにより、ホッパー１内の粉粒体の二次凝集、固化をほぐして、粉粒体のブロッキングやブリッジを阻止することもできる。本発明では、ブロッキング防止手段６の操作レバー６４と、掻きだし手段７のクラッチ８のペダル８１、排出手段９のバー９３を独立して設けることにより、作業者は状況に応じて適正な操作のタイミングを簡単に選択できる。
【００１５】
本発明の粉粒体散布機が扱う粉粒体としては、特に制限はないが、鳥インフルエンザ防止用石灰類、道路の凍結防止用塩化カルシウム、農薬、肥料等をあげることができる。
【産業上の利用可能性】
【００１６】
本発明の粉粒体散布機は、鳥インフルエンザ予防用の石灰類の散布や、道路凍結防止用塩化カルシウムの散布等、多量の粉粒体を均一に散布するのに好適に利用可能である。また、農薬の散布、施肥などにも広く適用できる。
【符号の説明】
【００１７】
１…ホッパー
２…車輪
３…把手
３１…枠杆
４…支柱
４ａ…ピン挿入孔
４１…支柱枠
５…補助輪
５１…受台
６…ブロッキング防止手段
６１…横杆
６２…縦杆
６３…吊環
６４，９３…レバー
７…掻きだし手段
７１…回転軸
７２…羽根
７３…枠板
８…クラッチ
８１…ペダル
９…排出手段
９１…排出板
９１ａ，９２ａ…斜孔
９２…遮蔽板
Ｘ…一の斜孔の一端
Ｙ…隣接する斜孔の他端
Ｚ…ＸＹを結ぶ仮想直線
【図１】
2010274194.tif 000003
【図２】
2010274194.tif 000004
【図３】
2010274194.tif 000005
【図４】
2010274194.tif 000006